(57)【特許請求の範囲】
【請求項１】
ＧＰＳ衛星からの電波を受信するＧＰＳアンテナと、
ＧＰＳアンテナ出力を入力し、位置や時刻等の情報を出力するＧＰＳ受信機と、
ＧＰＳ受信機が出力する位置や時刻等の情報を送信する送信装置と、
ＧＰＳ受信機が出力する１秒パルス信号に同期して無線ＬＡＮ情報を伝送する１秒パルス信号同期型無線ＬＡＮ装置とからなる、複数のＧＰＳ利用情報発信基地局と、
前記ＧＰＳ利用情報発信基地局が送信する位置や時刻等の情報を受信する複数の情報受信端末と、
複数のＧＰＳ利用情報発信基地局から前記無線ＬＡＮ装置を介して無線ＬＡＮ情報を伝送されるロケーション管理センターとから構成されるＧＰＳ利用情報システムであって、
ＧＰＳ利用情報発信基地局の送信装置は、ＧＰＳ受信機から出力される１秒パルス信号に同期して位置や時刻等の情報を出力する１秒パルス同期式送信装置であり、前記情報受信端末は、ＧＰＳ利用情報発信基地局が出力する１秒パルス信号に同期した送信電波の到達時間のずれから位置検出を行う１秒パルス同期利用型位置検出装置を有し、ＧＰＳ利用情報発信基地局は情報受信端末から送信される情報受信端末の位置情報を受信する位置情報受信装置を有し、前記無線ＬＡＮ装置を介して無線ＬＡＮ情報としてロケーション管理センターに情報受信端末の位置情報を伝送することを特徴とするＧＰＳ利用情報システム。
【請求項２】
請求項１に記載のＧＰＳ利用情報システムにおいて、ＧＰＳ利用情報発信基地局にＦＭ帯域で位置や時刻等の情報を出力するＦＭ送信装置を有することを特徴とするＧＰＳ利用情報システム。
【請求項３】
請求項１に記載のＧＰＳ利用情報システムにおいて、ＧＰＳ利用情報発信基地局にＦＭ基地局から送信されるＤＧＰＳ情報を受信し、受信したＤＧＰＳ情報をＧＰＳ受信機に入力するＦＭ信号装置を有することを特徴とするＧＰＳ利用情報システム。
【請求項４】
請求項１に記載のＧＰＳ利用情報システムにおいて、ＧＰＳ利用情報発信基地局のＧＰＳ受信機から出力される位置情報の平均化処理を行い、平均位置情報を送信装置に出力する位置平均化装置を有することを特徴とするＧＰＳ利用情報システム。
【請求項５】
請求項１に記載のＧＰＳ利用情報システムにおいて、１秒パルス信号の平均化処理を行い、平均１秒パルス信号を１秒パルス同期式送信装置に出力する１秒パルス信号平均化装置を有することを特徴とするＧＰＳ利用情報システム。
【請求項６】
請求項１に記載のＧＰＳ利用情報システムにおいて、位置情報をＧＰＳ受信機に入力できる位置情報入力装置を有することを特徴とするＧＰＳ利用情報システム。
【請求項７】
請求項１に記載のＧＰＳ利用情報システムにおいて、ＦＭアンテナとＦＭ受信装置を有し、ＤＧＰＳ測位を可能とする情報受信端末を有することを特徴とするＧＰＳ利用情報システム。
【請求項８】
請求項１に記載のＧＰＳ利用情報システムにおいて、ＧＰＳ利用情報発信基地局は情報受信端末から送信される異常信号を受信する異常信号受信装置を有することを特徴とするＧＰＳ利用情報システム。
【請求項９】
請求項１乃至８のいずれかに記載のＧＰＳ利用情報システムにおいて、地図情報を有する地図情報装置と、前記情報受信端末により受信した位置や時刻等の情報と地図情報装置から読み出した地図情報から適切な位置を地図画面上に出力するマップマッチング機能を有する制御装置と、位置を出力表示する出力装置からカーナビゲーションシステムを構成したことを特徴とするＧＰＳ利用情報システム。
【発明の詳細な説明】
【０００１】
【発明の属する技術分野】
本発明は、端末における位置情報を算出するための演算量を少なくし、かつ消費電力を低減したＧＰＳ利用情報システム及びこれに基づくカーナビゲーションシステムに関するものであり、また、無線ＬＡＮ通信、位置管理、セキュリティー管理などに用いる無線ＬＡＮ機能を有するＧＰＳ利用情報システムに関するものである。
【０００２】
【従来の技術】
今日、日本は高度情報化時代をむかえ、情報ネットワーク、移動体通信、携帯電話等、情報通信分野は急速に発展し、我々の実生活において必要不可欠なものとなってきた。また、ＧＰＳ応用分野においても、ＧＰＳ機能の性能向上、各種サービスとのシステム化技術の向上により、位置情報は、主にカーナビゲーションシステムとして普及しており、タクシー、列車、バス等の運行管理にも利用され、１秒パルス情報は、ＰＨＳや携帯電話などの無線通信におけるタイミング同期用センサとして用いられ、マンロケーションシステム、メーデーシステムなどの位置管理やセキュリティー管理等の情報通信分野との応用システムも徐々に普及しつつあるのが現状である。
【０００３】
現在のカーナビゲーションシステム等の位置検出システムは、ＧＰＳ受信機を内蔵し、ＧＰＳ衛星からの電波を受信し、航法メッセージを解読し、その航法メッセージと計測された擬似距離等の情報に基づいて測位演算を施し、位置情報を算出していた。しかし、位置演算は、演算量が多く、また、消費電力が大きくなり、システムの構成上、制約となる場合が多々ある状況であった。
【０００４】
また、ＧＰＳにおける１秒パルス情報は、ＧＰＳ基地局におけるＰＨＳや携帯電話等の無線通信でのタイミング同期に用いられているが、今後、発展してくる可能性のある無線ＬＡＮ通信網での利用はまだみられていない。
【０００５】
本発明は上述のような点に鑑みてなされたものであり、端末における位置情報を算出するための演算量を少なくし、かつ消費電力を低減したＧＰＳ利用情報システムを提供することを目的とする。また、無線ＬＡＮ通信網での無線ＬＡＮ通信により、利用者の位置管理、セキュリティー管理を行うことができるＧＰＳ利用情報システムを提供することを目的とする。
【０００６】
【課題を解決するための手段】
前記目的を達成するために、請求項１記載のＧＰＳ利用情報システムは、図１に示すように、ＧＰＳ衛星からの電波を受信するＧＰＳアンテナ１と、ＧＰＳアンテナ１の出力を入力し、位置や時刻等の情報を出力するＧＰＳ受信機２と、ＧＰＳ受信機２が出力する位置や時刻等の情報を送信する送信装置３からなる、複数のＧＰＳ利用情報発信基地局１０と、前記ＧＰＳ利用情報発信基地局１０が送信する位置や時刻等の情報を受信する複数の情報受信端末２０から構成されることを特徴とする。
また、請求項２記載のＧＰＳ利用情報システムは、請求項１に記載のＧＰＳ利用情報システムにおいて、図２に示すように、ＧＰＳ利用情報発信基地局１０にＦＭ帯域で位置や時刻等の情報を出力するＦＭ送信装置４を有することを特徴とする。
また、請求項３記載のＧＰＳ利用情報システムは、請求項１に記載のＧＰＳ利用情報システムにおいて、図３に示すように、ＧＰＳ利用情報発信基地局１０にＦＭ基地局から送信されるＤＧＰＳ情報を受信し、受信したＤＧＰＳ情報をＧＰＳ受信機２に入力するＦＭ信号装置５を有することを特徴とする。
【０００７】
また、請求項４記載のＧＰＳ利用情報システムは、請求項１に記載のＧＰＳ利用情報システムにおいて、図４に示すように、ＧＰＳ利用情報発信基地局１０のＧＰＳ受信機２から出力される位置情報の平均化処理を行い、平均位置情報を送信装置３に出力する位置平均化装置６を有することを特徴とする。
また、請求項１記載のＧＰＳ利用情報システムは、図５に示すように、ＧＰＳ利用情報発信基地局１０の送信装置は、ＧＰＳ受信機２から出力される１秒パルス信号に同期して位置や時刻等の情報を出力する１秒パルス同期式送信装置７であることを特徴とする。
また、請求項５記載のＧＰＳ利用情報システムは、請求項１に記載のＧＰＳ利用情報システムにおいて、図６に示すように、１秒パルス信号の平均化処理を行い、平均１秒パルス信号を１秒パルス同期式送信装置７に出力する１秒パルス信号平均化装置８を有することを特徴とする。
【０００８】
また、請求項６記載のＧＰＳ利用情報システムは、請求項１に記載のＧＰＳ利用情報システムにおいて、図７に示すように、位置情報をＧＰＳ受信機２に入力できる位置情報入力装置９を有することを特徴とする。
また、請求項１記載のＧＰＳ利用情報システムは、図９に示すように、情報受信端末２０が、ＧＰＳ利用情報発信基地局１０が出力する１秒パルス信号に同期した送信電波の到達時間のずれから位置検出を行う１秒パルス同期利用型位置検出装置２２を有することを特徴とする。
【０００９】
また、請求項７記載のＧＰＳ利用情報システムは、請求項１に記載のＧＰＳ利用情報システムにおいて、図１０に示すように、ＦＭアンテナ２３とＦＭ受信装置２４を有し、ＤＧＰＳ測位を可能とする情報受信端末２０を有することを特徴とする。
請求項１記載のＧＰＳ利用情報システムは、図１１に示すように、ＧＰＳ利用情報発信基地局１０は無線ＬＡＮ装置１１を有することを特徴とする。
また、請求項１記載のＧＰＳ利用情報システムは、図１２に示すように、ＧＰＳ利用情報発信基地局１０の無線ＬＡＮ装置１１は、ＧＰＳ受信機２が出力する１秒パルス信号に同期して無線ＬＡＮ情報を伝送する１秒パルス信号同期型無線ＬＡＮ装置１１であることを特徴とする。
【００１０】
また、請求項８記載のＧＰＳ利用情報システムは、請求項１に記載のＧＰＳ利用情報システムにおいて、図１３に示すように、ＧＰＳ利用情報発信基地局１０は情報受信端末２０から送信される異常信号を受信する異常信号受信装置１２を有することを特徴とする。
また、請求項１記載のＧＰＳ利用情報システムは、図１４に示すように、ＧＰＳ利用情報発信基地局１０は情報受信端末２０から送信される情報受信端末２０の位置情報を受信する位置情報受信装置１３を有することを特徴とする。
また、請求項９の発明によれば、請求項１乃至８のいずれかに記載のＧＰＳ利用情報システムにおいて、図１５に示すように、地図情報を有する地図情報装置２６と、前記情報受信端末２０により受信した位置や時刻等の情報と地図情報装置２６から読み出した地図情報から適切な位置を地図画面上に出力するマップマッチング機能を有する制御装置２７と、位置を出力表示する出力装置２８からカーナビゲーションシステム２５を構成したことを特徴とする。
【００１１】
【発明の実施の形態】
以下、本発明を図面に基づいて説明する。
図１は請求項１に記載の構成を示す構成図、図１６は請求項１の一実施例を示す構成図である。ＧＰＳ利用情報システムは、複数のＧＰＳ利用情報発信基地局１０と、複数の情報受信端末２０とから構成される。この実施例では、情報受信端末２０を携帯した複数の利用者が道路上を歩行しており、道路際の電柱１４の上にはＧＰＳ利用情報発信基地局１０が配置されている。ＧＰＳ利用情報発信基地局１０は、ＧＰＳアンテナ１でＧＰＳ衛星からの電波を受信し、ＧＰＳ受信機２でＧＰＳアンテナ１の出力を入力し、位置情報や時刻情報等を出力する。ＧＰＳ受信機２が出力する位置情報や時刻情報等は、送信装置３により情報受信端末２０に送信される。情報受信端末２０は、ＧＰＳ利用情報発信基地局１０が送信する位置情報や時刻情報等を受信する。情報受信端末２０はＧＰＳ利用情報発信基地局１０から送信される位置情報により自分の位置を検出することができる。これにより、情報受信端末２０における位置情報を算出するための演算量を少なくし、消費電力を低減したＧＰＳ利用情報システムが提供される。
【００１２】
また、図２は請求項２に記載の構成を示す構成図、図１６は請求項２の一実施例を示す構成図である。この実施例では、ＧＰＳ利用情報発信基地局１０にＦＭ帯域で位置や時刻等の情報を出力するＦＭ送信装置４を有することを特徴とする。ＧＰＳ利用情報システムは、複数のＧＰＳ利用情報発信基地局１０と、複数の情報受信端末２０とから構成される。ＧＰＳ利用情報発信基地局１０は、ＧＰＳアンテナ１でＧＰＳ衛星からの電波を受信し、ＧＰＳ受信機２でＧＰＳアンテナ１の出力を入力し、位置情報や時刻情報等を出力する。ＧＰＳ受信機２が出力する位置情報や時刻情報等は、ＦＭ送信装置４によりＦＭ帯域で情報受信端末２０に送信される。情報受信端末２０は、ＧＰＳ利用情報発信基地局１０が送信する位置情報や時刻情報等を受信する。情報受信端末２０はＧＰＳ利用情報発信基地局１０からＦＭ送信される位置情報により自分の位置を検出することができる。これにより、情報受信端末２０における位置情報を算出するための演算量を少なくし、消費電力を低減したＧＰＳ利用情報システムが提供される。
【００１３】
また、図３は請求項３に記載の構成を示す構成図、図１７は請求項３の一実施例を示す構成図である。この実施例では、ＧＰＳ利用情報発信基地局１０に、ＦＭ基地局１５から送信されるＤＧＰＳ情報を受信し、受信したＤＧＰＳ情報をＧＰＳ受信機２に入力するＦＭ信号装置５を有することを特徴とする。ＧＰＳ利用情報システムは、複数のＧＰＳ利用情報発信基地局１０と、複数の情報受信端末２０とから構成される。ＧＰＳ利用情報発信基地局１０は、ＧＰＳアンテナ１でＧＰＳ衛星からの電波を受信し、ＧＰＳ受信機２でＧＰＳアンテナ１の出力とＤＧＰＳ情報を入力し、位置情報や時刻情報等を出力する。ＧＰＳ受信機２が出力する位置情報や時刻情報等は、送信装置３により情報受信端末２０に送信される。情報受信端末２０は、ＧＰＳ利用情報発信基地局１０が送信する位置情報や時刻情報等を受信する。情報受信端末２０はＧＰＳ利用情報発信基地局１０から送信される位置情報により自分の位置を検出することができる。これにより、情報受信端末２０における位置情報を算出するための演算量を少なくし、消費電力を低減したＧＰＳ利用情報システムが提供される。
【００１４】
また、図４は請求項４に記載の構成を示す構成図、図１６は請求項４の一実施例を示す構成図である。この実施例では、ＧＰＳ利用情報発信基地局１０のＧＰＳ受信機２から出力される位置情報の平均化処理を行い、平均位置情報を送信装置３に出力する位置平均化装置６を有することを特徴とする。ＧＰＳ利用情報システムは、複数のＧＰＳ利用情報発信基地局１０と、複数の情報受信端末２０とから構成される。ＧＰＳ利用情報発信基地局１０は、ＧＰＳアンテナ１でＧＰＳ衛星からの電波を受信し、ＧＰＳ受信機２でＧＰＳアンテナ１の出力を入力し、位置情報や時刻情報等を出力する。位置平均化装置６では、ＧＰＳ受信機２が出力する位置情報や時刻情報等を入力し、位置情報の平均化処理を行う。その出力された平均位置情報や時刻情報等は、送信装置３により情報受信端末２０に送信される。情報受信端末２０は、ＧＰＳ利用情報発信基地局１０が送信する位置情報や時刻情報等を受信する。情報受信端末２０はＧＰＳ利用情報発信基地局１０から送信される位置情報により自分の位置を検出することができる。これにより、情報受信端末２０における位置情報を算出するための演算量を少なくし、消費電力を低減したＧＰＳ利用情報システムが提供される。
【００１５】
また、図５は請求項１に記載の構成を示す構成図、図１８は請求項１の実施例を示す構成図である。この実施例では、ＧＰＳ利用情報発信基地局１０は、ＧＰＳ受信機２から出力される１秒パルス信号に同期して位置や時刻等の情報を出力する１秒パルス同期式送信装置７を有することを特徴とする。ＧＰＳ利用情報システムは、複数のＧＰＳ利用情報発信基地局１０と、複数の情報受信端末２０とから構成される。ＧＰＳ利用情報発信基地局１０は、ＧＰＳアンテナ１でＧＰＳ衛星からの電波を受信し、ＧＰＳ受信機２でＧＰＳアンテナ１の出力を入力し、位置情報や時刻情報等を出力する。ＧＰＳ受信機２が出力する位置情報や時刻情報等は、ＧＰＳ受信機２から出力される１秒パルス信号に同期して１秒パルス同期式送信装置７により情報受信端末２０に送信される。情報受信端末２０は、ＧＰＳ利用情報発信基地局１０が送信する位置情報や時刻情報等を受信する。情報受信端末２０はＧＰＳ利用情報発信基地局１０から送信される位置情報により自分の位置を検出することができる。これにより、情報受信端末２０における位置情報を算出するための演算量を少なくし、消費電力を低減したＧＰＳ利用情報システムが提供される。
【００１６】
また、図６は請求項５に記載の構成を示す構成図、図１８は請求項５の一実施例を示す構成図である。この実施例では、ＧＰＳ利用情報発信基地局１０は、ＧＰＳ受信機２から出力される１秒パルス信号に同期して位置や時刻等の情報を出力する１秒パルス同期式送信装置７と、１秒パルス信号の平均化処理を行い、平均１秒パルス信号を１秒パルス同期式送信装置７に出力する１秒パルス信号平均化装置８を有することを特徴とする。ＧＰＳ利用情報システムは、複数のＧＰＳ利用情報発信基地局１０と、複数の情報受信端末２０とから構成される。ＧＰＳ利用情報発信基地局１０は、ＧＰＳアンテナ１でＧＰＳ衛星からの電波を受信し、ＧＰＳ受信機２でＧＰＳアンテナ１の出力を入力し、位置情報や時刻情報等を出力する。ＧＰＳ受信機２が出力する位置情報や時刻情報等は、１秒パルス信号平均化装置８において平均化された１秒パルス信号に同期して１秒パルス同期式送信装置７により情報受信端末２０に送信される。情報受信端末２０は、ＧＰＳ利用情報発信基地局１０が送信する位置情報や時刻情報等を受信する。情報受信端末２０はＧＰＳ利用情報発信基地局１０から送信される位置情報により自分の位置を検出することができる。これにより、情報受信端末２０における位置情報を算出するための演算量を少なくし、消費電力を低減したＧＰＳ利用情報システムが提供される。
【００１７】
また、図７は請求項６に記載の構成を示す構成図、図１８は請求項６の一実施例を示す構成図である。この実施例では、位置情報をＧＰＳ受信機２に入力できる位置情報入力装置９を有することを特徴とする。ＧＰＳ利用情報システムは、複数のＧＰＳ利用情報発信基地局１０と、複数の情報受信端末２０とから構成される。ＧＰＳ利用情報発信基地局１０は、ＧＰＳアンテナ１でＧＰＳ衛星からの電波を受信し、あらかじめ位置情報を位置情報入力装置９でＧＰＳ受信機２に入力し、ＧＰＳ受信機２でＧＰＳアンテナ１の出力を入力し、位置情報や時刻情報等を出力する。ＧＰＳ受信機２が出力する時刻情報は、位置情報入力装置９で入力された位置情報と共に、送信装置３により情報受信端末２０に送信される。情報受信端末２０は、ＧＰＳ利用情報発信基地局１０が送信する位置情報や時刻情報等を受信する。情報受信端末２０はＧＰＳ利用情報発信基地局１０から送信される位置情報により自分の位置を検出することができる。これにより、情報受信端末２０における位置情報を算出するための演算量を少なくし、消費電力を低減したＧＰＳ利用情報システムが提供される。
【００１８】
また、図８は請求項１の前提となる構成を示す構成図である。この構成例では、情報受信端末２０は、ＧＰＳ利用情報発信基地局１０が出力する送信電波の強弱から位置情報を算出する算出装置２１を有することを特徴とする。ＧＰＳ利用情報システムは、複数のＧＰＳ利用情報発信基地局１０と、複数の情報受信端末２０とから構成される。ＧＰＳ利用情報発信基地局１０は、ＧＰＳアンテナ１でＧＰＳ衛星からの電波を受信し、ＧＰＳ受信機２でＧＰＳアンテナ１の出力を入力し、位置情報や時刻情報等を出力する。ＧＰＳ受信機２が出力する位置情報や時刻情報等は、送信装置３により情報受信端末２０に送信される。情報受信端末２０は、ＧＰＳ利用情報発信基地局１０が送信する位置情報や時刻情報等を受信する。情報受信端末２０はＧＰＳ利用情報発信基地局１０から送信される位置情報により自分の位置を検出することができる。特に、本実施例では、算出装置２１によりＧＰＳ利用情報発信基地局１０Ａ，１０Ｂから送信される位置情報と送信信号レベルにより自分の位置をより一層精度よく検出することができる。これにより、情報受信端末２０における位置情報を算出するための演算量を少なくし、消費電力を低減したＧＰＳ利用情報システムが提供される。
【００１９】
また、図９は請求項１に記載の構成を示す構成図、図１９は請求項１の実施例を示す構成図である。この実施例では、情報受信端末２０は、ＧＰＳ利用情報発信基地局１０が出力する１秒パルス信号に同期した送信電波の到達時間のずれから位置検出を行う１秒パルス同期利用型位置検出装置２２を有することを特徴とする。ＧＰＳ利用情報システムは、複数のＧＰＳ利用情報発信基地局１０と、複数の情報受信端末２０とから構成される。ＧＰＳ利用情報発信基地局１０は、ＧＰＳアンテナ１でＧＰＳ衛星からの電波を受信し、ＧＰＳ受信機２でＧＰＳアンテナ１の出力を入力し、位置情報や時刻情報等を出力する。ＧＰＳ受信機２が出力する位置情報や時刻情報等は、ＧＰＳ受信機２から出力される１秒パルス信号に同期して１秒パルス同期式送信装置７により情報受信端末２０に送信される。情報受信端末２０は、ＧＰＳ利用情報発信基地局１０が送信する位置情報や時刻情報等を受信する。情報受信端末２０はＧＰＳ利用情報発信基地局１０から送信される位置情報により自分の位置を検出することができ、特に、本実施例では、情報受信端末２０は１秒パルス同期利用型位置検出装置２２でＧＰＳ利用情報発信基地局１０Ａ，１０Ｂから送信される１秒パルス信号に同期した送信電波の到達時間のずれにより自分の位置をより一層精度よく検出することができる。これにより、情報受信端末２０における位置情報を算出するための演算量を少なくし、消費電力を低減したＧＰＳ利用情報システムが提供される。
【００２０】
また、図１０は請求項７に記載の構成を示す構成図、図２０は請求項７の一実施例を示す構成図である。この実施例では、情報受信端末２０が、ＦＭアンテナ２３とＦＭ受信装置２４を有し、ＤＧＰＳ測位を可能とする端末であることを特徴とする。ＧＰＳ利用情報システムは、複数のＧＰＳ利用情報発信基地局１０と、複数の情報受信端末２０とから構成される。ＧＰＳ利用情報発信基地局１０は、ＧＰＳアンテナ１でＧＰＳ衛星からの電波を受信し、ＧＰＳ受信機２でＧＰＳアンテナ１の出力を入力し、位置情報や時刻情報等を出力する。ＧＰＳ受信機２が出力する位置情報や時刻情報等は、送信装置３により情報受信端末２０に送信される。情報受信端末２０は、ＧＰＳ利用情報発信基地局１０が送信する位置情報や時刻情報等を受信する。情報受信端末２０はＧＰＳ利用情報発信基地局１０から送信される位置情報により自分の位置を検出することができ、さらに、本実施例では、ＦＭ基地局１５から送信されるＤＧＰＳ情報により自分の位置をより一層精度よく検出することができる。これにより、情報受信端末２０における位置情報を算出するための演算量を少なくし、消費電力を低減したＧＰＳ利用情報システムが提供される。
【００２１】
図１１は請求項１に記載の構成を示す構成図、図２１は請求項１の実施例を示す構成図である。この実施例では、ＧＰＳ利用情報発信基地局１０が無線ＬＡＮ装置１１を有することを特徴とする。ＧＰＳ利用情報システムは、複数のＧＰＳ利用情報発信基地局１０と、複数の情報受信端末２０とから構成される。ＧＰＳ利用情報発信基地局１０は、ＧＰＳアンテナ１でＧＰＳ衛星からの電波を受信し、ＧＰＳ受信機２でＧＰＳアンテナ１の出力を入力し、位置情報や時刻情報等を出力する。ＧＰＳ受信機２が出力する位置情報や時刻情報等は、送信装置３により情報受信端末２０に送信される。また、ＧＰＳ利用情報発信基地局１０の内部に無線ＬＡＮ装置１１を設置して、無線ＬＡＮ間通信を可能としている。情報受信端末２０は、ＧＰＳ利用情報発信基地局１０が送信する位置情報や時刻情報等を受信する。情報受信端末２０はＧＰＳ利用情報発信基地局１０から送信される位置情報により自分の位置を検出することができる。これにより、情報受信端末２０における位置情報を算出するための演算量を少なくし、消費電力を低減し、かつ、無線ＬＡＮ通信網での無線ＬＡＮ通信を行うことができる無線ＬＡＮ機能を有するＧＰＳ利用情報システムが提供される。
【００２２】
また、図１２は請求項１に記載の構成を示す構成図、図２２は請求項１の実施例を示す構成図である。この実施例では、ＧＰＳ利用情報発信基地局１０が無線ＬＡＮ装置１１を有し、この無線ＬＡＮ装置１１は、ＧＰＳ受信機２が出力する１秒パルス信号に同期して無線ＬＡＮ情報を伝送する１秒パルス信号同期型無線ＬＡＮ装置１１であることを特徴とする。ＧＰＳ利用情報システムは、複数のＧＰＳ利用情報発信基地局１０と、複数の情報受信端末２０とから構成される。ＧＰＳ利用情報発信基地局１０は、ＧＰＳアンテナ１でＧＰＳ衛星からの電波を受信し、ＧＰＳ受信機２でＧＰＳアンテナ１の出力を入力し、位置情報や時刻情報等を出力する。ＧＰＳ受信機２が出力する位置情報や時刻情報等は、送信装置３により情報受信端末２０に送信される。また、ＧＰＳ利用情報発信基地局１０の内部に無線ＬＡＮ装置１１を設置して、無線ＬＡＮ間通信を可能としている。この無線ＬＡＮ装置１１は、ＧＰＳ受信機２が出力する高精度な１秒パルス信号に同期して無線ＬＡＮ情報を伝送する。情報受信端末２０は、ＧＰＳ利用情報発信基地局１０が送信する位置情報や時刻情報等を受信する。情報受信端末２０はＧＰＳ利用情報発信基地局１０から送信される位置情報により自分の位置を検出することができる。これにより、情報受信端末２０における位置情報を算出するための演算量を少なくし、消費電力を低減し、かつ、無線ＬＡＮ通信網での高速、大容量の無線ＬＡＮ通信を行うことができる無線ＬＡＮ機能を有するＧＰＳ利用情報システムが提供される。
【００２３】
また、図１３は請求項８に記載の構成を示す構成図、図２３は請求項８の一実施例を示す構成図である。この実施例では、ＧＰＳ利用情報発信基地局１０が情報受信端末２０から送信される異常信号を受信する異常信号受信装置１２を有することを特徴とする。ＧＰＳ利用情報システムは、複数のＧＰＳ利用情報発信基地局１０と、複数の情報受信端末２０とから構成される。ＧＰＳ利用情報発信基地局１０は、ＧＰＳアンテナ１でＧＰＳ衛星からの電波を受信し、ＧＰＳ受信機２でＧＰＳアンテナ１の出力を入力し、位置情報や時刻情報等を出力する。ＧＰＳ受信機２が出力する位置情報や時刻情報等は、送信装置３により情報受信端末２０に送信される。また、ＧＰＳ利用情報発信基地局１０の内部に無線ＬＡＮ装置１１を設置して、無線ＬＡＮ間通信を可能としている。この無線ＬＡＮ装置１１は、ＧＰＳ受信機２が出力する高精度な１秒パルス信号に同期して無線ＬＡＮ情報を伝送する。情報受信端末２０は、ＧＰＳ利用情報発信基地局１０が送信する位置情報や時刻情報等を受信する。情報受信端末２０はＧＰＳ利用情報発信基地局１０から送信される位置情報により自分の位置を検出することができる。利用者側に事故等の異常事態が起こった場合、情報受信端末２０から発信される異常信号を異常信号受信装置１２で受信し、無線ＬＡＮ装置１１間の情報伝送を行い、ロケーション管理センター３０や警察、病院等に異常を連絡することができる。これにより、情報受信端末２０における位置情報を算出するための演算量を少なくし、消費電力を低減し、かつ、無線ＬＡＮ通信網での高速、大容量の無線ＬＡＮ通信を行うことができ、利用者側に異常が発生した場合に速やかにセンターに連絡し対処できる無線ＬＡＮ機能を有するＧＰＳ利用情報システムが提供される。
【００２４】
また、図１４は請求項１に記載の構成を示す構成図、図２４は請求項１の実施例を示す構成図である。この実施例では、ＧＰＳ利用情報発信基地局１０は情報受信端末２０から送信される情報受信端末２０の位置情報を受信する位置情報受信装置１３を有することを特徴とする。ＧＰＳ利用情報システムは、複数のＧＰＳ利用情報発信基地局１０と、複数の情報受信端末２０とから構成される。ＧＰＳ利用情報発信基地局１０は、ＧＰＳアンテナ１でＧＰＳ衛星からの電波を受信し、ＧＰＳ受信機２でＧＰＳアンテナ１の出力を入力し、位置情報や時刻情報等を出力する。ＧＰＳ受信機２が出力する位置情報や時刻情報等は、送信装置３により情報受信端末２０に送信される。また、ＧＰＳ利用情報発信基地局１０の内部に無線ＬＡＮ装置１１を設置して、無線ＬＡＮ間通信を可能としている。この無線ＬＡＮ装置１１は、ＧＰＳ受信機２が出力する高精度な１秒パルス信号に同期して無線ＬＡＮ情報を伝送する。情報受信端末２０は、ＧＰＳ利用情報発信基地局１０が送信する位置情報や時刻情報等を受信する。情報受信端末２０はＧＰＳ利用情報発信基地局１０から送信される位置情報により自分の位置を検出することができる。ＧＰＳ利用情報発信基地局１０では、情報受信端末２０から発信される利用者側の位置を位置信号受信装置１２で受信し、無線ＬＡＮ装置１１間の情報伝送を行い、ロケーション管理センター３０に位置を連絡することができる。これにより、端末における位置情報を算出するための演算量を少なくし、消費電力を低減し、かつ、無線ＬＡＮ通信網での高速、大容量の無線ＬＡＮ通信を行い、また、利用者の位置をセンターに連絡し、ロケーション管理を行うことができる無線ＬＡＮ機能を有するＧＰＳ利用情報システムが提供される。
【００２５】
図１５は請求項９に記載の構成を示す構成図、図２５は請求項９の一実施例を示す構成図である。この実施例では、地図情報を有する地図情報装置２６と、情報受信端末２０により受信した位置や時刻等の情報と地図情報装置２６から読み出した地図情報から適切な位置を地図画面上に出力するマップマッチング機能を有する制御装置２７と、位置を出力表示する出力装置２８からカーナビゲーションシステム２５を構成したことを特徴とする。ＧＰＳ利用情報システムは、複数のＧＰＳ利用情報発信基地局１０と、複数の情報受信端末２０とから構成される。ＧＰＳ利用情報発信基地局１０は、ＧＰＳアンテナ１でＧＰＳ衛星からの電波を受信し、ＧＰＳ受信機２でＧＰＳアンテナ１の出力を入力し、位置情報や時刻情報等を出力する。ＧＰＳ受信機２が出力する位置情報や時刻情報等は、送信装置３により情報受信端末２０に送信される。情報受信端末２０はＧＰＳ利用情報発信基地局１０から送信される位置情報により自分の位置を検出することができる。カーナビゲーションシステム２５では、ＧＰＳ利用情報発信基地局１０から送信される位置情報や時刻情報等を情報受信端末２０で受信し、地図情報装置２６における地図情報と受信した位置情報から制御装置２７でマップマッチングを行い、適切な位置を出力装置２８の地図画面上に出力する。これにより、位置情報を算出するための演算量を少なくし、かつ消費電力を低減したＧＰＳ利用情報システムに基づくカーナビゲーションシステムが提供される。
【００２６】
【発明の効果】
請求項１〜８の発明によれば、端末における位置情報を算出するための演算量を少なくし、かつ消費電力を低減したＧＰＳ利用情報システムを提供することができる。
また、端末における位置情報を算出するための演算量を少なくし、かつ消費電力を低減し、さらに、無線ＬＡＮ通信網での無線ＬＡＮ通信により、利用者の位置管理、セキュリティー管理を行うことができる無線ＬＡＮ機能を有するＧＰＳ利用情報システムを提供することができる。
請求項９の発明によれば、位置情報を算出するための演算量を少なくし、かつ消費電力を低減した、ＧＰＳ利用情報システムに基づくカーナビゲーションシステムを提供することができる。
【図面の簡単な説明】
【図１】請求項１記載の構成を示す構成図である。
【図２】請求項２記載の構成を示す構成図である。
【図３】請求項３記載の構成を示す構成図である。
【図４】請求項４記載の構成を示す構成図である。
【図５】請求項１記載の構成を示す構成図である。
【図６】請求項５記載の構成を示す構成図である。
【図７】請求項６記載の構成を示す構成図である。
【図８】請求項１の前提となる構成を示す構成図である。
【図９】請求項１記載の構成を示す構成図である。
【図１０】請求項７記載の構成を示す構成図である。
【図１１】請求項１記載の構成を示す構成図である。
【図１２】請求項１記載の構成を示す構成図である。
【図１３】請求項８記載の構成を示す構成図である。
【図１４】請求項１記載の構成を示す構成図である。
【図１５】請求項９記載の構成を示す構成図である。
【図１６】請求項１、２、４記載の構成に基づく一実施例を示す構成図である。
【図１７】請求項３記載の構成に基づく一実施例を示す構成図である。
【図１８】請求項５、６記載の構成に基づく一実施例を示す構成図である。
【図１９】請求項１記載の構成に基づく一実施例を示す構成図である。
【図２０】請求項７記載の構成に基づく一実施例を示す構成図である。
【図２１】請求項１記載の構成に基づく一実施例を示す構成図である。
【図２２】請求項１記載の構成に基づく一実施例を示す構成図である。
【図２３】請求項８記載の構成に基づく一実施例を示す構成図である。
【図２４】請求項１記載の構成に基づく一実施例を示す構成図である。
【図２５】請求項９記載の構成に基づく一実施例を示す構成図である。
【符号の説明】
１    ＧＰＳアンテナ
２    ＧＰＳ受信機
３    送信装置
１０  ＧＰＳ利用情報発信基地局
２０  情報受信端末
【図１】
0003601355.tif 000002
【図２】
0003601355.tif 000003
【図３】
0003601355.tif 000004
【図４】
0003601355.tif 000005
【図５】
0003601355.tif 000006
【図６】
0003601355.tif 000007
【図７】
0003601355.tif 000008
【図８】
0003601355.tif 000009
【図９】
0003601355.tif 000010
【図１０】
0003601355.tif 000011
【図１１】
0003601355.tif 000012
【図１２】
0003601355.tif 000013
【図１３】
0003601355.tif 000014
【図１４】
0003601355.tif 000015
【図１５】
0003601355.tif 000016
【図１６】
0003601355.tif 000017
【図１７】
0003601355.tif 000018
【図１８】
0003601355.tif 000019
【図１９】
0003601355.tif 000020
【図２０】
0003601355.tif 000021
【図２１】
0003601355.tif 000022
【図２２】
0003601355.tif 000023
【図２３】
0003601355.tif 000024
【図２４】
0003601355.tif 000025
【図２５】
0003601355.tif 000026